(57)【要約】【課題】環境温度の差異による熱変位を大幅に抑制することが低コストでできる工作機械を提供する。【解決手段】機械本体１０の周囲をカバー１００で覆った工作機械において、カバー１００が、内側カバー１０１と外側カバー１０２との二重構造をなすと共に、内側カバー１０１と外側カバー１０２との間の空気を外側カバー１０２の外側の空気と入れ換えるカバー間用換気扇１０３と、内側カバー１０１の内側の空気を外側カバー１０２の外側の空気と入れ換えるカバー内用換気扇１０４とを有することにより、機械本体１０がカバー１００の外側の環境温度の変化による影響をほとんど受けないようにした。【選択図】　　　　図２
2004098241.tif 000002
【特許請求の範囲】
【請求項１】
機械本体の周囲をカバーで覆った工作機械において、
前記カバーが、
内側カバーと外側カバーとの二重構造をなすと共に、
当該内側カバーと当該外側カバーとの間の空気を当該外側カバーの外側の空気と入れ換えるカバー間換気手段を有する
ことを特徴とする工作機械。
【請求項２】
請求項１において、
前記カバーの下方側の前記内側カバーと前記外側カバーとの間と当該外側カバーの外側とが連通し、
前記カバー間換気手段が、前記カバーの少なくとも上部に取り付けられたカバー間用換気扇を備えてなる
ことを特徴とする工作機械。
【請求項３】
請求項１または２において、
前記カバーが、
前記内側カバーの内側の空気を前記外側カバーの外側の空気と入れ換えるカバー内換気手段を有する
ことを特徴とする工作機械。
【請求項４】
請求項３において、
前記カバーの下方側の前記内側カバーの内側と当該カバーの前記外側カバーの外側とが連通し、
前記カバー内換気手段が、前記カバーの少なくとも上部に取り付けられたカバー内用換気扇を備えてなる
ことを特徴とする工作機械。
【請求項５】
請求項１から４のいずれかにおいて、
前記機械本体の駆動モータが、前記カバーの外側に露出していることを特徴とする工作機械。
【発明の詳細な説明】
【０００１】
【発明の属する技術分野】
本発明は、環境温度の差異による熱変位を大幅に抑制することが低コストでできる工作機械に関する。
【０００２】
【従来の技術】
マシニングセンタなどのような工作機械は、高精度でワークを加工できるようにするため、工具部分やワーク部分などを冷却することにより、加工に伴う発熱を抑制して熱膨張によるずれを防止するようにしている。
【０００３】
【特許文献１】
特開２０００−１９０１６０号公報
【０００４】
【発明が解決しようとする課題】
ところが、マシニングセンタなどのような工作機械は、非常に大きいため、工場内での設置場所によっては環境温度が機械本体の前後や左右で異なってしまう場合がある。このような状態を生じると、コラムや主軸などに捩じれや傾きなどを生じたりしてしまい、ワークに対する高精度な加工が困難になってしまう。
【０００５】
このようなことから、本発明は、環境温度の差異による熱変位を大幅に抑制することが低コストでできる工作機械を提供することを目的とした。
【０００６】
【課題を解決するための手段】
前述した課題を解決するための、本発明による工作機械は、機械本体の周囲をカバーで覆った工作機械において、前記カバーが、内側カバーと外側カバーとの二重構造をなすと共に、当該内側カバーと当該外側カバーとの間の空気を当該外側カバーの外側の空気と入れ換えるカバー間換気手段を有することを特徴とする。
【０００７】
上述した工作機械において、前記カバーの下方側の前記内側カバーと前記外側カバーとの間と当該外側カバーの外側とが連通し、前記カバー間換気手段が、前記カバーの少なくとも上部に取り付けられたカバー間用換気扇を備えてなることを特徴とする。
【０００８】
上述した工作機械において、前記カバーが、前記内側カバーの内側の空気を前記外側カバーの外側の空気と入れ換えるカバー内換気手段を有することを特徴とする。
【０００９】
上述した工作機械において、前記カバーの下方側の前記内側カバーの内側と当該カバーの前記外側カバーの外側とが連通し、前記カバー内換気手段が、前記カバーの少なくとも上部に取り付けられたカバー内用換気扇を備えてなることを特徴とする。
【００１０】
上述した工作機械のいずれかにおいて、前記機械本体の駆動モータが、前記カバーの外側に露出していることを特徴とする。
【００１１】
【発明の実施の形態】
本発明による工作機械の実施の形態を図１〜３を用いて説明する。図１は、工作機械の正面図、図２は、工作機械の側面図、図３は、工作機械の平面図である。
【００１２】
図１〜３に示すように、ベッド１１上には、送りねじ１２が当該ベッド１１の前後方向（図２中、左右方向）へ軸心方向を向けて回転可能に支持されている。送りねじ１２の基端（図２中、右側）には、当該送りねじ１２を回転駆動させる駆動モータ１３が連結されている。送りねじ１２には、ワークを固定支持するテーブル１４が取り付けられており、当該テーブル１４は、駆動モータ１３を駆動させて送りねじ１２を回転させることにより、当該送りねじ１２に沿って前後方向（図２中、左右方向）へ移動するようになっている。
【００１３】
前記ベッド１１上の背面側（図２中、右側）には、コラム１５が立設されている。コラム１５の正面側（図２中、左側）には、クロスレール１６が長手方向を水平方向に向けて取り付けられると共に、送りねじ１７が軸心方向を水平方向に向けて回転可能に支持されている。クロスレール１６には、スライドヘッド１９が当該クロスレール１６に沿って移動できるように取り付けられており、当該スライドヘッド１９は、上記送りねじ１７に取り付けられている。この送りねじ１７の基端（図１中、左側）には、当該送りねじ１７を回転駆動させる駆動モータ１８が連結されている。つまり、駆動モータ１８を駆動させて送りねじ１７を回転させることにより、スライドヘッド１９をクロスレール１６に沿って水平方向（図１中、左右方向）へ移動させることができるようになっているのである。
【００１４】
前記スライドヘッド１９には、送りねじ２０が軸心方向を上下方向へ向けて回転可能に支持されている。送りねじ２０の上端には、当該送りねじ２０を回転駆動させる駆動モータ２１が連結されている。送りねじ２１には、主軸端２３ａに工具を保持する主軸２３を下方に備えた主軸頭２２が取り付けられており、当該主軸頭２２は、駆動モータ２１を駆動させて送りねじ２０を回転させることにより、当該送りねじ２０に沿って上下方向へ移動するようになっている。主軸頭２２の上部には、主軸２３を回転駆動させる駆動モータ２４が取り付けられている。
【００１５】
前記ベッド１１上の前記クロスレール１６一端側には、前記主軸２３と工具交換を行う工具交換装置２５が配設されている。コラム１５の背面側には、油圧ユニット２６、冷却装置２７、制御盤２８が配設されている。ベッド１１の正面側のクロスレール１６他端側には、操作盤２９が配設されている。なお、本実施の形態では、上記各部材１１〜２５などにより、機械本体１０を構成している。
【００１６】
前記機械本体１０は、その周囲がカバー１００で覆われており、前記駆動モータ１３，１８が当該カバー１００の外側へ露出している。このカバー１００は、内側カバー１０１と外側カバー１０２との二重構造となっており、内側カバー１０１と外側カバー１０２との間に空間が形成されている。前記工具交換装置２５は、内側カバー１０１と外側カバー１０２との間に位置しており、内側カバー１０１に設けられた図示しないシャッタの開閉により、内側カバー１０１の内側の主軸頭２２の主軸２３との工具交換が可能となっている。カバー１００の下端は、内側カバー１０１の内側と外側カバー１０２の外側とが連通すると共に内側カバー１０１と外側カバー１０２との間と当該外側カバー１０２の外側とが連通すように開放されている。
【００１７】
前記カバー１００の上部および背面の下方側には、内側カバー１０１と外側カバー１０２との間の空気を外側カバー１０２の外側の空気と入れ換えるカバー間換気手段であるカバー間用換気扇１０３と、内側カバー１０１の内側の空気を外側カバー１０２の外側の空気と入れ換えるカバー内換気手段であるカバー内用換気扇１０４とがそれぞれ設けられており、カバー間用換気扇１０３を作動させることにより、カバー１００の下方側から内側カバー１０１と外側カバー１０２との間に外部の空気を取り入れながら当該間の空気を外部に排出することができると共に、カバー内用換気扇１０４を作動させることにより、カバー１００の下端側から内側カバー１０１の内側に外部の空気を取り入れながら当該内側の空気を外部に排出することができるようになっている。
【００１８】
このような工作機械においては、テーブル１４上にワークを取り付け、操作盤２９を操作すると、機械本体１０の各前記駆動モータ１３，１８，２１，２４が作動し、主軸頭２２の主軸２３が回転駆動して工具が作動すると共に、前記送りねじ１２，１７，２０が回転駆動し、テーブル１４の前後方向への移動や、スライドヘッド１９の左右方向への移動や、主軸頭２２の上下方向への移動が行われ、ワークを所定の形状に加工することができる。
【００１９】
一方、機械本体１０によるワークの加工と同時に、前記カバー１００のカバー間用換気扇１０３およびカバー内用換気扇１０４を作動させると、上述したように、当該カバー１００の内側カバー１０１と外側カバー１０２との間の空気が換気されると共に、当該カバー１００の内側カバー１０１の内側の空気が換気される。
【００２０】
このため、工場内での設置場所等により、環境温度が前後や左右で異なってしまったとしても、上述したように、カバー１００の内側カバー１０１と外側カバー１０２との間の空気が換気されているので、機械本体１０は、カバー１００の外側の環境温度の変化による影響をほとんど受けなくなる。
【００２１】
また、駆動モータ１３，１８がカバー１００の外部へ露出していると共に、上述したように、カバー１００の内側カバー１０１の内側が換気されているので、駆動モータ１３，１８から発生した熱による内側カバー１０１内の空気の昇温を防止することができると共に、機械本体１０の他の駆動モータ２１，２４や工具交換装置２５の駆動モータから発生した熱をカバー１００の外側へ放出することができる。
【００２２】
したがって、機械本体１０の環境温度の差異による熱変位を大幅に抑制することが低コストで簡単にできるので、コラム１５や主軸２３などへの捩じれや傾きなどを低コストで防止することができ、ワークに対して高精度に加工することが簡単にできる。
【００２３】
【発明の効果】
本発明による工作機械は、機械本体の周囲をカバーで覆った工作機械において、前記カバーが、内側カバーと外側カバーとの二重構造をなすと共に、当該内側カバーと当該外側カバーとの間の空気を当該外側カバーの外側の空気と入れ換えるカバー間換気手段を有することから、カバーの内側カバーと外側カバーとの間の空気を換気することができるので、工場内での設置場所等により、環境温度が前後や左右で異なってしまったとしても、機械本体がカバーの外側の環境温度の変化による影響をほとんど受けなくなる。このため、機械本体の環境温度の差異による熱変位を大幅に抑制することができるので、環境温度に左右されることなくワークに対して高精度に加工することができる。
【００２４】
また、前記カバーの下方側の前記内側カバーと前記外側カバーとの間と当該外側カバーの外側とが連通し、前記カバー間換気手段が、前記カバーの少なくとも上部に取り付けられたカバー間用換気扇を備えてなるので、機械本体の環境温度の差異による熱変位を大幅に抑制することが低コストで簡単にできるので、環境温度に左右されることなくワークに対して高精度に加工することが低コストで簡単にできる。
【００２５】
また、前記カバーが、前記内側カバーの内側の空気を前記外側カバーの外側の空気と入れ換えるカバー内換気手段を有することから、機械本体から発生した熱をカバーの外側へ放出することができるので、機械本体の環境温度の差異による熱変位を大幅に抑制することがさらに確実にできるので、環境温度に左右されることなくワークに対して高精度に加工することがさらに確実にできる。
【００２６】
また、前記カバーの下方側の前記内側カバーの内側と当該カバーの前記外側カバーの外側とが連通し、前記カバー内換気手段が、前記カバーの少なくとも上部に取り付けられたカバー内用換気扇を備えてなるので、機械本体の環境温度の差異による熱変位をさらに確実に抑制することが低コストで簡単にできるので、環境温度に左右されることなくワークに対してさらに確実に高精度で加工することが低コストで簡単にできる。
【００２７】
また、前記機械本体の駆動モータが、前記カバーの外側に露出していることから、駆動モータから発生した熱による内側カバー内の空気の昇温を防止することができるので、機械本体の環境温度の昇温をさらに確実に抑制することができ、ワークに対する高精度な加工をより確実に行うことが簡単にできる。
【図面の簡単な説明】
【図１】本発明による工作機械の実施の形態の正面図である。
【図２】図１の工作機械の側面図である。
【図３】図１の工作機械の平面図である。
【符号の説明】
１０　機械本体
１１　ベッド
１２　送りねじ
１３　駆動モータ
１４　テーブル
１５　コラム
１６　クロスレール
１７　送りねじ
１８　駆動モータ
１９　スライドヘッド
２０　送りねじ
２１　駆動モータ
２２　主軸頭
２３　主軸
２３ａ　主軸端
２４　駆動モータ
２５　工具交換装置
２６　油圧ユニット
２７　冷却装置
２８　制御盤
２９　操作盤
１００　カバー
１０１　内側カバー
１０２　外側カバー
１０３　カバー間用換気扇
１０４　カバー内用換気扇
【図１】
2004098241.tif 000003
【図２】
2004098241.tif 000004
【図３】
2004098241.tif 000005